(57)【要約】【課題】枠組足場における交差筋違用補助手摺りにおいて、構造が簡単で、かつ、交差筋違に簡単に装着することができ、しかも簡単に強固に固定することができ、より安全性の向上を図れる枠組足場の交差筋違用水平横架材を提供する。【解決手段】交差筋違用水平横架材１０を鋼管等からなる棒状本体１１とこの棒状本体１１の両端部に設けられる掛止金具１２・固定用掛止金具１３から構成する。掛止金具１２は、フック部１２ｂを斜材２ａに引っ掛けて取り付け、固定用掛止金具１３は、フック部１３ａを斜材２ａに引っ掛けて取り付け、基部に回転自在に軸支させた回転楔部材１４を斜材と棒状本体の交差部における斜材２ａの下に打ち込み、円弧状の楔面１４ａで斜材２ａを上へ押圧し、棒状本体１１を斜材２ａに強固に固定する。【選択図】図１
2008014097.tif 000002
【特許請求の範囲】
【請求項１】
枠組足場の建枠間に張架される一対の斜材からなる交差筋違に水平に架け渡すように取り付けられる補助手摺りとしての水平横架材であり、
棒状本体の両端部における側面に、交差筋違の斜材の上部側面部に掛止される略下向きＵ字状のフック部を有する掛止金具がそれぞれ設けられ、これら一対の掛止金具の少なくともいずれか一方の掛止金具は、回転楔部材が、棒状本体に取り付けられる掛止金具の基部に、斜材と棒状本体との交差部における斜材の下に進入し離脱できるように回転自在に設けられた固定用掛止金具とされ、前記回転楔部材の上面は、前記楔空間に進入して斜材の下面を上に押圧する円弧状の楔面とされていることを特徴とする枠組足場の交差筋違用水平横架材。
【請求項２】
請求項１に記載の交差筋違用水平横架材において、回転楔部材の円弧状の楔面は、回転楔部材の回転中心を中心とする半径の円弧面と、この円弧面に連続し、かつ、この円弧面の半径よりも小さい半径の円弧面とから構成されていることを特徴とする枠組足場の交差筋違用水平横架材。
【請求項３】
請求項１又は請求項２のいずれかに記載の交差筋違用水平横架材において、回転楔部材の表面には、回転楔部材を斜材の下から離脱させるための棒状突起が設けられていることを特徴とする枠組足場の交差筋違用水平横架材。
【発明の詳細な説明】
【技術分野】
【０００１】
本発明は、枠組足場の建枠間に張架される一対の斜材からなる交差筋違に水平に架け渡すように取り付けられる補助手摺りとしての水平横架材に関するものである。
【背景技術】
【０００２】
建設現場に架設される枠組足場においては、図３に示すように、一対の建枠１、１間に一対の斜材２ａ、２ａによるＸ形の交差筋違２が掛け渡されており、この交差筋違２が安全柵となって、足場板３上で作業をする作業者の安全を図ることができる。しかし、このような交差筋違２は、その下部に足場板３との間で三角形の開口が形成されているため、ここから中腰になった作業者が誤って転落する危険性があった。
【０００３】
このような足場における墜落・転落災害を防止するための簡易な手段の一つとして、交差筋違２の下部三角形開口部を形成する斜材２ａ、２ａに補助手摺りとして水平横架材４を架け渡すことが行われている。なお、水平横架材４は中間部の菱形開口部にも配置され、安全を図っている。
【０００４】
このような交差筋違用補助手摺りの先行技術文献としては、例えば特許文献１〜３がある。特許文献１の発明は、補助手摺りの棒状本体を一対の棒体をジョイントで屈折可能に連結して構成し、その両端部にそれぞれ、斜材の上側面部に掛止される第１フックと、斜材の下側面部に掛止される第２フックとを設け、山形に屈折させた棒状本体を一対の斜材に配置して第１フック・第２フックを斜材に嵌め込み、山形頂部を下へ押し下げて水平状態にスライドさせ、棒状本体中央の屈折部をロック手段により固定して水平姿勢を保持させるものである。
【０００５】
特許文献２の発明は、補助手摺りの棒状本体の両端部にそれぞれ、引用文献１と同様の第１フックと第２フックとを設け、一端部の第２フックは水平回転可能・上下移動可能に軸支すると共にバネで上方に付勢し、棒状本体を一対の斜材に水平に掛け渡した後、一端部の第２フックを水平回転させて斜材に掛止し、バネの付勢力で固定するものである。
【０００６】
特許文献３の発明は、補助手摺りの本体の両端部における一側面部に断面略下向きＣ字状でその開口部幅が斜材の直径よりも若干小さい弾性変形可能な合成樹脂製の掛止部材を手摺り本体の側面と平行な平面に沿って回動できるように枢着し、各掛止部材を斜材に対して上から弾性変形により嵌め込んで掛止するようにしたものである。
【０００７】
【特許文献１】特開平１０−３３１４１２号公報
【特許文献２】特開平１０−３３１４１３号公報
【特許文献３】特開２００３−２７７３９号公報
【発明の開示】
【発明が解決しようとする課題】
【０００８】
前述した従来の交差筋違用補助手摺りの場合、構造が簡単で交差筋違に簡単に装着することができる利点があるものの、作業員が足をかけた場合などフック部分が移動したりする恐れがあり、大きな力に対して固定が十分とはいえないなどの課題がある。
【０００９】
本発明は、枠組足場における交差筋違用補助手摺りにおいて、構造が簡単で、かつ、交差筋違に簡単に装着することができ、しかも簡単に強固に固定することができ、より安全性の向上を図れる枠組足場の交差筋違用水平横架材を提供するものである。
【課題を解決するための手段】
【００１０】
本発明の請求項１に係る発明は、枠組足場の建枠間に張架される一対の斜材からなる交差筋違に水平に架け渡すように取り付けられる補助手摺りとしての水平横架材であり、棒状本体の両端部における側面に、交差筋違の斜材の上部側面部に掛止される略下向きＵ字状のフック部を有する掛止金具がそれぞれ設けられ、これら一対の掛止金具の少なくともいずれか一方の掛止金具は、回転楔部材が、棒状本体に取り付けられる掛止金具の基部に、斜材と棒状本体との交差部における斜材の下に進入し離脱できるように回転自在に設けられた固定用掛止金具とされ、前記回転楔部材の上面は、前記楔空間に進入して斜材の下面を上に押圧する円弧状の楔面とされていることを特徴とする枠組足場の交差筋違用水平横架材である。
【００１１】
例えば図１に示すように、枠組足場の内側から左右の掛止金具のフック部をそれぞれ斜材に引っ掛けて掛止し、棒状本体が水平状態となるようにし、この状態から回転楔部材を斜材の下にハンマー等で打ち込むだけで、水平横架材が斜材に強固に固定され、また回転楔部材を反対方向に叩くだけで、回転楔部材が離脱して水平横架材を取り外すことができるようにしたものである。掛止金具は、斜材に直交するように棒状本体に傾斜して取り付けられ、溶接やボルト等で固定される。回転楔部材は、前記ボルト等を利用して回転自在に軸支させることができる。
【００１２】
本発明の請求項２に係る発明は、請求項１に記載の交差筋違用水平横架材において、回転楔部材の円弧状の楔面は、回転楔部材の回転中心を中心とする半径の円弧面と、この円弧面に連続し、かつ、この円弧面の半径よりも小さい半径の円弧面とから構成されていることを特徴とする枠組足場の交差筋違用水平横架材である。
【００１３】
例えば図２に示すように、回転楔部材を略扇形とし、その円弧面を斜材・棒状本体交差部側から順に小径の円弧面、大径の円弧面とすることにより、斜材の下に容易に進入して押圧力が増大する楔面が得られる。
【００１４】
本発明の請求項３に係る発明は、請求項１又は請求項２のいずれかに記載の交差筋違用水平横架材において、回転楔部材の表面には、回転楔部材を斜材の下から離脱させるための棒状突起が設けられていることを特徴とする枠組足場の交差筋違用水平横架材である。
【００１５】
例えば図１に示すように、回転楔部材は棒状本体の外側において斜材の下にあるため、ハンマー等で叩いて離脱させるのは容易ではないため、回転楔部材の棒状本体とは反対側の側面に棒状突起を水平に突設し、溶接等で回転楔部材に固定し、この棒状突起をハンマー等で叩くことにより回転楔部材を離脱する方向に容易に回転させることができる。
【発明の効果】
【００１６】
本発明は、以上のような構成からなるので、次のような効果が得られる。
（1）棒状本体に左右の掛止金具のフック部をそれぞれ斜材に引っ掛けて掛止するため、回転楔部材を斜材の下に打ち込むため、構造が簡単で、かつ、交差筋違に簡単に装着することができる。
（2）回転楔部材を斜材の下に打ち込み、円弧状の楔面により斜材を上へ押圧するため、簡単な操作で水平横架材を斜材に強固に固定することができ、より安全性の向上を図ることができる。
（3）回転楔部材に棒状突起を設けることにより、回転楔部材を離脱する方向に容易に回転させることができ、水平横架材の取り外しも簡単に行うことができる。
【発明を実施するための最良の形態】
【００１７】
以下、本発明を図示する一実施形態に基づいて説明する。図１は、本発明に係る枠組足場の交差筋違用水平横架材の一例を示す正面図、左右の掛止金具の断面図である。図２は、左右の掛止金具の部品図である。図３は本発明が適用される枠組足場を示す正面図である。
【００１８】
図１は枠組足場の外側から見た図であり、交差筋違用水平横架材は枠組足場の内側から取り付けられる。この実施形態において、本発明の交差筋違用水平横架材１０は、鋼管等からなる棒状本体１１と、この棒状本体１１の両端部に設けられる掛止金具１２及び固定用掛止金具１３とから構成されている。掛止金具１２は、斜材２ａに引っ掛けて取り付けるだけの金具であり、固定用掛止金具１３は、斜材２ａに引っ掛けて取り付け、回転楔部材１４により棒状本体１１を斜材２ａに強固に固定する金具である。図１では、一方は掛止金具１２とされているが、両方とも固定用掛止金具１３を用いることもできる。
【００１９】
掛止金具１２は、図１、図２に示すように、鋼棒や鋼板等を折り曲げ加工して形成され、棒状本体１１の側面に取り付けられる直線状の基部１２ａと、交差筋違２の斜材２ａの上部側面部に上から掛止される略下向きＵ字状のフック部１２ｂから構成されている。基部１２ａは、棒状本体１１の端面から所定の距離だけ内側に入った位置に、斜材２ａに直交するように傾斜させて配置し、基部１２ａのフック部とは反対側（足場側）の側面を棒状本体１１の側面に溶接等で固定される。溶接等による固定に限らず、ボルト等により回転自在に軸支させて斜材の傾斜角等に対応できるようにしてもよい。また、フック部１２ｂは、図１では先端部を内側に折り曲げて、斜材２ａから容易に離脱できないようにしているが、図２に示すように、直線状の先端部としてもよい。また、この直線状の先端部分を長くしてもよい。
【００２０】
固定用掛止金具１３は、図１、図２に示すように、鋼板等を折り曲げ加工して形成され、棒状本体１１の側面に取り付けられる略上向きコ字状溝の基部１３ａと、斜材２ａの上部側面部に上から掛止される略下向きＵ字状のフック部１３ｂから構成されている。基部１３ａとフック部１３ｂとは片側に開口が形成されるように片側が一体的に連結されている。前記開口は斜材２ａが横から通過できる大きさとされている。基部１３ａは、棒状本体１１の端面から所定の距離だけ内側に入った位置に、斜材２ａに直交するように傾斜させて配置し、基部１３ａのフック部とは反対側（足場側）の側面が棒状本体１１の側面にボルト１５等で固定される。さらに、棒状本体１１と基部１３ａとを溶接で固定してもよい。
【００２１】
基部１３ａとフック部１３ｂとの間に回転楔部材１４が配置され、下部の取付孔にボルト１５を挿通させることにより、鉛直面内を回転自在に軸支される。この回転楔部材１４は、棒状本体１１の軸方向に沿って回転することにより、斜材２ａと棒状本体１１の交差部における斜材２ａの下に進入できる略扇形であり、その円弧状の楔面１４ａにより交差部における斜材２ａの下面を上へ押圧し、固定用掛止部材１３即ち水平横架材１０を斜材２ａに強固に固定する。
【００２２】
円弧状の楔面１４ａは、例えば図２（ｅ）に示すように、回転楔部材１４の回転中心Ｏを中心とする半径Ｒ１の円弧面１４ａ−１と、この円弧面に連続し、かつ、この円弧面の半径よりも小さい半径Ｒ２の円弧面１４ａ−２とから構成する。円弧面１４ａ−２を打ち込む側に配置する。斜材２ａの下に容易に進入して押圧力が増大する楔面が得られる。
【００２３】
回転楔部材１４は、取り付けに際してハンマー等で叩いて固定を行うが、取り外しの際に離脱させる場合、回転楔部材１４が棒状本体１１の外側において斜材２ａの下にあるため、ハンマー等で叩いて離脱させるのは容易ではないため、図１に示すように、回転楔部材１４の棒状本体１１とは反対側の側面に棒状突起１６を水平に突設し、溶接等で回転楔部材１４に固定し、この棒状突起１６をハンマー等で叩くことにより回転楔部材１４を離脱できるようにする。この棒状突起１６は、固定用掛止部材１３の開口から足場の外側に突出しており、足場の内側から手を延ばしてハンマー等で叩いて、回転楔部材１４を離脱する方向に容易に回転させることができる。
【００２４】
以上のような構成の水平横架材１０を、図３に示すように、下部三角形開口部と中間部菱形開口部に水平に取り付ける。取り付けに際しては、図１に示すように、掛止金具１２のフック部１２ｂ、固定用掛止金具１３のフック部１３ａをそれぞれ斜材２ａに引っ掛けて掛止し、棒状本体１１が水平状態となるようにする。回転楔部材１４は水平に寝た状態であり、この状態から回転楔部材１４を立ち上げ、斜材２ａの下に打ち込むだけで、水平横架材１０が斜材２ａに強固に固定される。また、回転楔部材１４の棒状突起１６を叩くだけで、回転楔部材１４が離脱し、水平横架材１０を取り外すことができる。
【図面の簡単な説明】
【００２５】
【図１】本発明に係る枠組足場の交差筋違用水平横架材の一例であり、（ａ）は正面図、（ｂ）、（ｃ）は左右の掛止金具の断面図である。
【図２】図１の左右の掛止金具の部品図であり、（ａ）は固定用掛止金具の部分正面図、（ｂ）はその側面図、（ｃ）はその裏面図、（ｄ）は掛止金具の側面図、（ｅ）は回転楔部材の正面図である。
【図３】本発明が適用される枠組足場を示す正面図である。
【符号の説明】
【００２６】
１…建枠
２…交差筋違
２ａ…斜材
３…足場板
４…水平横架材
１０…水平横架材（本発明）
１１…棒状本体
１２…掛止金具
１２ａ…基部
１２ｂ…フック部
１３…固定用掛止金具
１３ａ…基部
１３ｂ…フック部
１４…回転楔部材
１４ａ…円弧状の楔面
１５…ボルト
１６…棒状突起
【図１】
2008014097.tif 000003
【図２】
2008014097.tif 000004
【図３】
2008014097.tif 000005